(57)【要約】【課題】原稿種にかかわらず簡単な構造で裏写りを低減する。【解決手段】画像読取装置１００は、通常の画像読取モードと裏写り低減モードで動作可能であり、裏写り低減モードで動作する場合、原稿トレイ１１７から給送される原稿を切替手段２０７により第二の搬送路５２へ搬送し、第三の搬送手段２２３により搬送される原稿の第一面を第二の画像読取部２０９により読み取り、第二の画像読取部の第一面の読取結果に基づいて設定される第一の背景部材２１６の背景面を第一の画像読取部に対向させ、原稿を第三の搬送路５３へ搬送させ、第三の搬送路から第一の搬送手段２１４により搬送される原稿の第一面を第一の画像読取部１０８により読み取り、第二の画像読取部の第一面の読取結果に基づいて設定される第二の背景部材２２１の背景面を第二の画像読取部に対向させ、第二の搬送手段２１７により搬送される原稿の第二面を第二の画像読取部により読み取る。【選択図】図２
2018125766.tif 000002
【特許請求の範囲】
【請求項１】
画像読取装置であって、
原稿が載置される原稿トレイと、
前記原稿トレイから給送された前記原稿の搬送路を第一の搬送路と第二の搬送路とへ切り替える切替手段と、
第一の搬送手段により搬送される前記原稿の第一面を読み取る第一の画像読取部と、
濃度が異なる複数の背景面を有し、前記第一の画像読取部に対向して配置された第一の背景部材と、
第二の搬送手段により搬送される前記原稿の前記第一面と反対の第二面を読み取る第二の画像読取部と、
濃度が異なる複数の背景面を有し、前記第二の画像読取部に対向して配置された第二の背景部材と、
前記第二の搬送路に設けられた第三の搬送手段と、
前記第二の画像読取部から前記第一の搬送手段へ原稿を導く第三の搬送路と、
前記画像読取装置が第一のモードで動作する場合、前記原稿トレイから給送される原稿を前記切替手段により前記第一の搬送路へ搬送し、前記第一の搬送路から前記第一の搬送手段により搬送される前記原稿の第一面を前記第一の画像読取部により読み取り、前記第二の搬送手段により搬送される前記原稿の第二面を前記第二の画像読取部により読み取る制御手段と、
を備え、
前記制御手段は、前記画像読取装置が第二のモードで動作する場合、前記原稿トレイから給送される原稿を前記切替手段により前記第二の搬送路へ搬送し、前記第二の搬送路から前記第三の搬送手段により搬送される前記原稿の第一面を前記第二の画像読取部により読み取り、前記第二の画像読取部の前記第一面の読取結果に基づいて設定される前記第一の背景部材の背景面を前記第一の画像読取部に対向させ、前記原稿を前記第三の搬送路へ搬送させ、前記第三の搬送路から前記第一の搬送手段により搬送される前記原稿の第一面を前記第一の画像読取部により読み取り、前記第二の画像読取部の前記第一面の前記読取結果に基づいて設定される前記第二の背景部材の背景面を前記第二の画像読取部に対向させ、前記第二の搬送手段により搬送される前記原稿の第二面を前記第二の画像読取部により読み取ることを特徴とする画像読取装置。
【請求項２】
前記第一の背景部材は、回転軸を中心に回転可能に設けられ、所定の角度回転させられることにより前記複数の背景面のうちの一つが前記第一の画像読取部に対向して設定され、
前記第二の背景部材は、回転軸を中心に回転可能に設けられ、所定の角度回転させられることにより前記複数の背景面のうちの一つが前記第二の画像読取部に対向して設定されることを特徴とする請求項１に記載の画像読取装置。
【請求項３】
前記第一の背景部材は、前記第一の画像読取部から離れる方向に所定の距離だけ移動された後に、前記読取結果に基づいて設定される前記第一の背景部材の前記背景面が前記第一の画像読取部に対向するように回転され、その後、前記第一の画像読取部へ近づく方向に前記所定の距離だけ移動され、
前記第二の背景部材は、前記第二の画像読取部から離れる方向に所定の距離だけ移動された後に、前記読取結果に基づいて設定される前記第二の背景部材の前記背景面が前記第二の画像読取部に対向するように回転され、その後、前記第二の画像読取部へ近づく方向に前記所定の距離だけ移動されることを特徴とする請求項２に記載の画像読取装置。
【請求項４】
前記第一の背景部材は、前記第一の画像読取部により読み取られる原稿の第一の搬送方向に移動可能に設けられ、前記第一の搬送方向に移動させられることにより前記複数の背景面のうちの一つが前記第一の画像読取部に対向して設定され、
前記第二の背景部材は、前記第二の画像読取部により読み取られる原稿の第二の搬送方向に移動可能に設けられ、前記第二の搬送方向に移動させられることにより前記複数の背景面のうちの一つが前記第二の画像読取部に対向して設定されることを特徴とする請求項１に記載の画像読取装置。
【請求項５】
前記第一の背景部材の前記複数の背景面は、前記第一の搬送方向に一定間隔で配置された異なる濃度の背景面を含み、
前記第二の背景部材の前記複数の背景面は、前記第二の搬送方向に一定間隔で配置された異なる濃度の背景面を含むことを特徴とする請求項４に記載の画像読取装置。
【請求項６】
前記制御手段は、前記第二の画像読取部の前記第一面の前記読取結果に基づいて前記原稿の下地の輝度レベルを求め、前記輝度レベルに基づいて前記第一の背景部材の前記背景面および前記第二の背景部材の前記背景面を設定することを特徴とする請求項１乃至５のいずれか一項に記載の画像読取装置。
【請求項７】
前記制御手段は、前記輝度レベルに基づいて設定された前記第一の背景部材の前記背景面の濃度に基づいて、前記第一の画像読取部により読み取られた前記第一面の画像データの輝度レベルを補正するための第一の探索表を設定し、
前記制御手段は、前記輝度レベルに基づいて設定された前記第二の背景部材の前記背景面の濃度に基づいて、前記第二の画像読取部により読み取られた前記第二面の画像データの輝度レベルを補正するための第二の探索表を設定することを特徴とする請求項６に記載の画像読取装置。
【請求項８】
前記制御手段は、前記第一の探索表に従って、前記第一の画像読取部により読み取られた前記第一面の前記画像データに含まれる前記第二面の画像の裏写りの輝度レベルより高い輝度レベルを補正し、
前記制御手段は、前記第二の探索表に従って、前記第二の画像読取部により読み取られた前記第二面の前記画像データに含まれる前記第一面の画像の裏写りの輝度レベルより高い輝度レベルを補正することを特徴とする請求項７に記載の画像読取装置。
【請求項９】
前記制御手段は、前記画像読取装置が第一のモードで動作する場合、前記第一の背景部材の前記複数の背景面のうち最も濃度の低い背景面を前記第一の画像読取部に対向して配置して前記第一の搬送手段により搬送される前記原稿の前記第一面を前記第一の画像読取部により読み取り、前記第二の背景部材の前記複数の背景面のうち最も濃度の低い背景面を前記第二の画像読取部に対向して配置して前記第二の搬送手段により搬送される前記原稿の第二面を前記第二の画像読取部により読み取ることを特徴とする請求項１乃至８のいずれか一項に記載の画像読取装置。
【請求項１０】
画像読取装置であって、
原稿が載置される原稿トレイと、
前記原稿トレイから給送される原稿を一枚ずつに分離する分離手段と、
前記分離手段により分離された原稿の厚さを検出する原稿厚さ検出手段と、
第一の搬送手段により搬送される前記原稿の第一面を読み取る第一の画像読取部と、
濃度が異なる複数の背景面を有し、前記第一の画像読取部に対向して配置された第一の背景部材と、
第二の搬送手段により搬送される前記原稿の前記第一面と反対の第二面を読み取る第二の画像読取部と、
濃度が異なる複数の背景面を有し、前記第二の画像読取部に対向して配置された第二の背景部材と、
前記画像読取装置が第一のモードで動作する場合、前記第一の背景部材の前記複数の背景面のうち所定の濃度の背景面を前記第一の画像読取部に対向して配置して前記第一の搬送手段により搬送される前記原稿の第一面を前記第一の画像読取部により読み取り、前記第二の背景部材の前記複数の背景面のうち所定の濃度の背景面を前記第二の画像読取部に対向して配置して前記第二の搬送手段により搬送される前記原稿の第二面を前記第二の画像読取部により読み取る制御手段と、
を備え、
前記制御手段は、前記画像読取装置が第二のモードで動作する場合、前記原稿厚さ検出手段の検出結果に基づいて設定される前記第一の背景部材の背景面を前記第一の画像読取部に対向して配置して前記第一の搬送手段により搬送される前記原稿の第一面を前記第一の画像読取部により読み取り、前記原稿厚さ検出手段の前記検出結果に基づいて設定される前記第二の背景部材の背景面を前記第二の画像読取部に対向して配置して前記第二の搬送手段により搬送される前記原稿の前記第二面を前記第二の画像読取部により読み取ることを特徴とする画像読取装置。
【請求項１１】
前記第一の背景部材は、回転軸を中心に回転可能に設けられ、所定の角度回転させられることにより前記複数の背景面のうちの一つが前記第一の画像読取部に対向して設定され、
前記第二の背景部材は、回転軸を中心に回転可能に設けられ、所定の角度回転させられることにより前記複数の背景面のうちの一つが前記第二の画像読取部に対向して設定されることを特徴とする請求項１０に記載の画像読取装置。
【請求項１２】
前記第一の背景部材は、前記第一の画像読取部から離れる方向に所定の距離だけ移動された後に、前記検出結果に基づいて設定される前記第一の背景部材の前記背景面が前記第一の画像読取部に対向するように回転され、その後、前記第一の画像読取部へ近づく方向に前記所定の距離だけ移動され、
前記第二の背景部材は、前記第二の画像読取部から離れる方向に所定の距離だけ移動された後に、前記検出結果に基づいて設定される前記第二の背景部材の前記背景面が前記第二の画像読取部に対向するように回転され、その後、前記第二の画像読取部へ近づく方向に前記所定の距離だけ移動されることを特徴とする請求項１１に記載の画像読取装置。
【請求項１３】
前記第一の背景部材は、前記第一の画像読取部により読み取られる原稿の第一の搬送方向に移動可能に設けられ、前記第一の搬送方向に移動させられることにより前記複数の背景面のうちの一つが前記第一の画像読取部に対向して設定され、
前記第二の背景部材は、前記第二の画像読取部により読み取られる原稿の第二の搬送方向に移動可能に設けられ、前記第二の搬送方向に移動させられることにより前記複数の背景面のうちの一つが前記第二の画像読取部に対向して設定されることを特徴とする請求項１０に記載の画像読取装置。
【請求項１４】
前記第一の背景部材の前記複数の背景面は、前記第一の搬送方向に一定間隔で配置された異なる濃度の背景面を含み、
前記第二の背景部材の前記複数の背景面は、前記第二の搬送方向に一定間隔で配置された異なる濃度の背景面を含むことを特徴とする請求項１３に記載の画像読取装置。
【請求項１５】
前記原稿厚さ検出手段は、原稿一枚毎に原稿の厚さを検出し、
前記制御手段は、前記原稿厚さ検出手段の前記検出結果に基づいて前記原稿の下地の輝度レベルを求め、前記輝度レベルに基づいて前記第一の背景部材の前記背景面および前記第二の背景部材の前記背景面を設定することを特徴とする請求項１０乃至１４のいずれか一項に記載の画像読取装置。
【請求項１６】
前記原稿厚さ検出手段は、連続印刷ジョブの最初の原稿のみの厚さを検出し、
前記制御手段は、前記原稿厚さ検出手段の前記検出結果に基づいて前記原稿の下地の輝度レベルを求め、前記輝度レベルに基づいて前記第一の背景部材の前記背景面および前記第二の背景部材の前記背景面を設定することを特徴とする請求項１０乃至１４のいずれか一項に記載の画像読取装置。
【請求項１７】
前記制御手段は、前記輝度レベルに基づいて設定された前記第一の背景部材の前記背景面の濃度に基づいて、前記第一の画像読取部により読み取られた前記第一面の画像データの輝度レベルを補正するための第一の探索表を設定し、
前記制御手段は、前記輝度レベルに基づいて設定された前記第二の背景部材の前記背景面の濃度に基づいて、前記第二の画像読取部により読み取られた前記第二面の画像データの輝度レベルを補正するための第二の探索表を設定することを特徴とする請求項１５又は１６に記載の画像読取装置。
【請求項１８】
前記制御手段は、前記第一の探索表に従って、前記第一の画像読取部により読み取られた前記第一面の前記画像データに含まれる前記第二面の画像の裏写りの輝度レベルより高い輝度レベルを補正し、
前記制御手段は、前記第二の探索表に従って、前記第二の画像読取部により読み取られた前記第二面の前記画像データに含まれる前記第一面の画像の裏写りの輝度レベルより高い輝度レベルを補正することを特徴とする請求項１７に記載の画像読取装置。
【請求項１９】
前記所定の濃度の背景面は、前記複数の背景面のうち最も濃度の低い背景面であることを特徴とする請求項１０乃至１８のいずれか一項に記載の画像読取装置。
【発明の詳細な説明】
【技術分野】
【０００１】
本発明は、原稿の画像を読み取る画像読取装置に関する。
【背景技術】
【０００２】
従来、画像読取装置は、読取位置において原稿を照明手段により照明し反射光を検出することにより原稿の画像を読み取る。しかし、原稿の走査面の画像とともに走査面と異なる裏面の画像がわずかに読み取られてしまい、裏面の画像がノイズとして走査面の画像データに重畳される裏写り（プリントスルー）が発生することがある。原稿の厚さが薄い場合、原稿を透過した照明光は、原稿の裏面に対向して配置された背景部材により反射される。裏写りの現象は、背景部材からの反射光によって、裏面の画像が透過原稿さながらに走査面の画像に重畳されることにより生じる。裏写りの現象は、原稿の片面だけを読み取る画像読取装置においても発生するが、近年普及してきた表裏両面同時読取方式の画像読取装置においても同様に問題となっている。
【０００３】
裏写りの現象を低減するために、読取位置において原稿の裏面に対向して黒色の背景部材が設けられた画像読取装置がある。黒色の背景部材は、反射光を減少させるので、裏写りの現象を抑制する効果を有する。しかし、黒色の背景部材は、原稿の下地の輝度レベル（明度）を低下させるため、原稿の画像の下地部分の濃度が高くなるという問題を生じる。
【０００４】
また、裏写りの現象を低減するために、新聞、雑誌などの原稿の下地濃度を低減させるバックグランドキャンセル機能を有する画像読取装置がある。バックグランドキャンセル機能は、画像の下地部分の輝度レベルを白レベルへ上げることにより、下地や裏写り等の低濃度の画像を除去して高濃度の画像の視認性を高めることができる。しかし、画像の輝度レベルに対する出力レベルの比例関係（以下、リニアリティという）が失われる。バックグランドキャンセル機能は、画像の全体の輝度レベルを高くするので、画像が淡くなる。そのため、バックグランドキャンセル機能は、画像の忠実再現という観点からすれば、必ずしも本質的な対策ではない。更に、原稿の種類（以下、原稿種という）にかかわらず一律に同じ裏写り抑制処理を施すので、原稿種によっては必要以上に過度の補正が実行されることがある。
【０００５】
また、裏写りの現象を低減するために、特許文献１は、画像読器に対向して、白色の背景面および白色以外の色の背景面を有する背景部材を設けた画像読取装置を記載している。画像読取装置は、画像読取器に対向する背景面を変更するように複数の背景面を切り替える背景面切替部と、画像読取器に対向する背景面の色に従って、読取った画像データに対する画像処理の強度を決定する決定手段とを備えている。
【０００６】
また、裏写り現象を低減するために、特許文献２は、駆動手段により、可動反射板の第一の反射率の面と第二の反射率の面を読取位置へ移動させる画像読取装置を記載している。画像読取装置は、可動反射板の第一の反射率の面と第二の反射率の面を読取位置へ占位させた状態で原稿の画像をそれぞれ読み取る。読み取った２つの画像データの差に補正係数を乗じて可動反射板からの反射光による影響を除去する補正データを作成する。補正データを一方の画像データから差し引くことにより裏写りのない出力画像データを作成する。
【先行技術文献】
【特許文献】
【０００７】
【特許文献１】特開２００８−１１４５０号公報
【特許文献２】特開２００２−２９０７３８号公報
【発明の概要】
【発明が解決しようとする課題】
【０００８】
しかし、自動原稿給送部の原稿トレイ上にセットされる原稿は、頁毎に画像が異なり、原稿毎に原稿の種類や厚さが異なることがある。特に、両面に画像が形成されている原稿においては、原稿の下地部（画像の背景に相当する部分）に裏面の画像が透けて見えることがあり、原稿の表面の画像の読み取り画像データに裏面の画像が裏写りとして含まれることがある。特許文献１に記載された画像読取装置は、様々な種類の原稿に対して最適な色の背景面を選定するものないので、原稿類によっては画像処理の強度が高すぎるという問題を生じる。また、特許文献２に記載された画像読取装置は、背景面を切り替えて同じ原稿の画像を読み、各々異なる補正係数を乗じた画像データの差分を求める必要があるので、構造が複雑になるという問題がある。
【０００９】
そこで、本発明は、原稿種にかかわらず簡単な構造で裏写りを低減する画像読取装置を提供する。
【課題を解決するための手段】
【００１０】
上記課題を解決するために、本発明の一実施形態による画像読取装置は、
原稿が載置される原稿トレイと、
前記原稿トレイから給送された前記原稿の搬送路を第一の搬送路と第二の搬送路とへ切り替える切替手段と、
第一の搬送手段により搬送される前記原稿の第一面を読み取る第一の画像読取部と、
濃度が異なる複数の背景面を有し、前記第一の画像読取部に対向して配置された第一の背景部材と、
第二の搬送手段により搬送される前記原稿の前記第一面と反対の第二面を読み取る第二の画像読取部と、
濃度が異なる複数の背景面を有し、前記第二の画像読取部に対向して配置された第二の背景部材と、
前記第二の搬送路に設けられた第三の搬送手段と、
前記第二の画像読取部から前記第一の搬送手段へ原稿を導く第三の搬送路と、
前記画像読取装置が第一のモードで動作する場合、前記原稿トレイから給送される原稿を前記切替手段により前記第一の搬送路へ搬送し、前記第一の搬送路から前記第一の搬送手段により搬送される前記原稿の第一面を前記第一の画像読取部により読み取り、前記第二の搬送手段により搬送される前記原稿の第二面を前記第二の画像読取部により読み取る制御手段と、
を備え、
前記制御手段は、前記画像読取装置が第二のモードで動作する場合、前記原稿トレイから給送される原稿を前記切替手段により前記第二の搬送路へ搬送し、前記第二の搬送路から前記第三の搬送手段により搬送される前記原稿の第一面を前記第二の画像読取部により読み取り、前記第二の画像読取部の前記第一面の読取結果に基づいて設定される前記第一の背景部材の背景面を前記第一の画像読取部に対向させ、前記原稿を前記第三の搬送路へ搬送させ、前記第三の搬送路から前記第一の搬送手段により搬送される前記原稿の第一面を前記第一の画像読取部により読み取り、前記第二の画像読取部の前記第一面の前記読取結果に基づいて設定される前記第二の背景部材の背景面を前記第二の画像読取部に対向させ、前記第二の搬送手段により搬送される前記原稿の第二面を前記第二の画像読取部により読み取ることを特徴とする。
【発明の効果】
【００１１】
本発明によれば、原稿種にかかわらず簡単な構造で裏写りを低減することができる。
【図面の簡単な説明】
【００１２】
【図１】第一の実施形態による画像読取装置の斜視図。
【図２】第一の実施形態による画像読取装置の断面図。
【図３】原稿搬送経路を示す図。
【図４】第一の背景部材および第二の背景部材の説明図。
【図５】原稿の画像とヒストグラムを示す説明図。
【図６】背景面の濃度に対する輝度レベルと、輝度レベルに対する出力レベルの探索表を示す図。
【図７】第一の実施形態による画像読取装置のブロック図。
【図８】第一の実施形態の裏写り低減処理モードにおける制御動作を示す流れ図。
【図９】第一の背景部材および第二の背景部材の変形例を示す図。
【図１０】第二の実施形態による画像読取装置の断面図。
【図１１】用紙の用途、坪量および厚さを示す表。
【図１２】第二の実施形態による画像読取装置のブロック図。
【図１３】第二の実施形態の裏写り低減処理モードにおける制御動作を示す流れ図。
【発明を実施するための形態】
【００１３】
以下に、本発明に係る画像読取装置の実施形態を説明する。画像読取装置は、ファクシミリ、複写機、複合機等の画像形成装置に設けられていてもよい。画像読取装置は、原稿トレイ上に積載された原稿を自動的に連続して給送する自動原稿給送部を有していてもよい。画像読取装置は、原稿の両面の画像を読み取るために複数の画像読取器を有していてもよい。本実施形態による画像読取装置は、一方の面の画像を読み取った画像データに対する、一方の面と反対の他方の面の画像の影響（以下、裏写りという）を抑制するように構成されている。
【実施例１】
【００１４】
（画像読取装置）
以下、図１を用いて、第一の実施形態による画像読取装置１００を説明する。図１は、第一の実施形態による画像読取装置１００の斜視図である。画像読取装置１００は、画像読取部１０１、自動原稿給送部１０２および操作部１０３からなる。画像読取装置１００は、固定読取モードと流し読みモードとで動作可能である。操作部１０３は、情報の表示および情報の入力が可能な操作パネル１０４およびコピーボタン１０５を有する。画像読取部１０１は、第一の原稿走査手段としての第一の画像読取器（第一の画像読取部）１０８を有する。自動原稿給送部１０２は、原稿が載置される原稿トレイ１１７を有する。原稿トレイ１１７には、原稿が給送されるときに、原稿が斜めに搬送されないように原稿を規制する側端部規制板１１８が設けられている。
【００１５】
副走査方向におけるプラテンガラス１０７上の一端部には、第一のシェーディング白板（白基準部材）１１５が配置されている。第一の画像読取器１０８は、第一のシェーディング白板１１５を読み取る。第一のシェーディング白板１１５の読取結果に基づいて、第一の画像読取器１０８の第一の光電変換素子７２４（図７）の画素毎の感度バラツキや第一の光源７２２（図７）の配光斑に起因するシェーディングが補正される。第一の画像読取器１０８の主走査方向の一端部には、フラグ１１０が固定されている。ホームポジションセンサ（以下、ＨＰセンサという）１０９は、第一の画像読取器１０８のフラグ１１０を検出する。第一の画像読取器１０８の位置は、ＨＰセンサ１０９の出力に基づいて制御される。
【００１６】
第一の原稿サイズ検出器１１１および第二の原稿サイズ検出器１１２は、プラテンガラス１０７上に載置された原稿１１４の副走査方向の長さ（サイズ）を検出するために用いられる。第一の原稿サイズ検出器１１１および第二の原稿サイズ検出器１１２は、例えば、光学センサである。自動原稿給送部１０２は、画像読取部１０１に対して開閉可能に設けられている。自動原稿給送部１０２が閉じられると、開閉フラグ１１３は、画像読取部１０１内へ押し込まれる。画像読取部１０１に設けられた検出器（不図示）が開閉フラグ１１３を検出することにより、自動原稿給送部１０２が閉じられたか否かを検出する。自動原稿給送部１０２が閉じられると、第一の原稿サイズ検出器１１１および第二の原稿サイズ検出器１１２の検出結果に基づいて、原稿１１４の副走査方向の長さが検出される。自動原稿給送部１０２が閉じられると、プラテンガラス１０７上に載置された原稿１１４は、プラテンガラス１０７から浮き上がらないように自動原稿給送部１０２に設けられた原稿押圧板１１６により押さえ付けられる。
【００１７】
使用者がプラテンガラス１０７上に原稿１１４を載置し自動原稿給送部１０２を閉じてコピーボタン１０５を押すと、画像読取装置１００は、固定読取モードで動作する。固定読取モードにおいて、第一の画像読取器１０８は、副走査方向に一定速度で移動しながらプラテンガラス１０７上に載置された原稿１１４の画像を読み取る。また、使用者が自動原稿給送部１０２を閉じ原稿トレイ１１７上に原稿を載置してコピーボタン１０５を押すと、画像読取装置１００は、流し読みモードで動作する。流し読みモードにおいて、第一の画像読取器１０８は、第一の流し読みガラス１０６の下に位置し、第一の流し読みガラス１０６の上を搬送される原稿の画像を読み取る。第一の画像読取器１０８は、原稿の第一面（表面）の画像を読み取る。自動原稿給送部１０２の内部には、第二の原稿走査手段としての第二の画像読取器（第二の画像読取部）２０９（図２）が設けられている。第二の画像読取器２０９は、第二の流し読みガラス２２４の下を搬送される原稿の第一面と反対の第二面（裏面）の画像を読み取る。
【００１８】
図２は、第一の実施形態による画像読取装置１００の断面図である。使用者が操作部１０３により裏写り低減処理モードを設定しコピーボタン１０５を押すと、第一の画像読取器１０８は、キャリッジ制御部７２０（図７）により制御されるパルスモータ７２１（図７）により第一のシェーディング白板１１５の位置へ移動される。第一の画像読取器１０８により第一のシェーディング白板１１５が読み取られ、読取結果に基づいてシェーディング補正係数（補正データ）が算出される。シェーディング補正係数の算出後、第一の画像読取器１０８は、駆動手段としてのパルスモータ７２１（図７）により第一の流し読みガラス１０６の下の所定の画像読取位置へ移動され、待機状態にされる。第二の流し読みガラス２２４の下には、移動可能な第二のシェーディング白板（白基準部材）２２８が配置されている。駆動手段（不図示）により所定の画像読取位置へ移動された第二のシェーディング白板２２８が第二の画像読取器２０９により読み取られ、読取結果に基づいてシェーディング補正係数（補正データ）が算出される。シェーディング補正係数の算出後、第二のシェーディング白板２２８は、駆動手段（不図示）により所定の画像読取位置から退避され、第二の画像読取器２０９は、待機状態にされる。第一の画像読取器１０８および第二の画像読取器２０９が画像読取可能な状態になると、自動原稿給送部１０２は、原稿トレイ１１７上に載置された一枚の原稿または複数枚の原稿２０１の最上位原稿を給送する。
【００１９】
（通常の画像読取モードにおける原稿搬送経路）
図３は、原稿搬送経路を示す図である。図３を用いて、通常の画像読取モード（第一のモード）における原稿搬送経路（ 図３（ａ））と裏写り低減処理モード（第二のモード）における原稿搬送経路（図３（ｂ））を説明する。図３（ａ）は、通常の画像読取モードにおける原稿搬送経路を示す図である。通常の画像読取モードにおいては、裏写り低減処理が実行されない。通常の画像読取モードにおいて、画像読取装置１００は、画像読取の生産性を優先する。使用者が操作部１０３により通常の画像読取モードを設定しコピーボタン１０５を押すと、第一の画像読取器１０８のシェーディング補正係数および第二の画像読取器２０９のシェーディング補正係数がそれぞれ算出される。その後、自動原稿給送部１０２の原稿トレイ１１７上に載置された原稿２０１の最上位原稿の給送が開始される。ピックアップローラ２０４は、最上位原稿に当接して最上位原稿を給送する。ピックアップローラ２０４により給送された最上位原稿は、分離ローラ（分離手段）２０５により二枚目以降の原稿から分離される。給送された原稿は、分離ローラ２０５により一枚ずつに分離される。分離された最上位原稿（以下、原稿という）は、分離ローラ２０５により給送路５０へ給送される。給送路５０は、第一の画像読取器１０８へ向かう第一の搬送路５１と、第二の画像読取器２０９へ向かう第二の搬送路５２とへ分岐している。給送路５０の分岐点には、第一のフラッパ（切替手段）２０７が設けられている。フラッパ制御部７４６（図７）は、第一のフラッパ２０７を制御して、原稿の搬送路を第一の搬送路５１と第二の搬送路５２とへ切り替える。
【００２０】
通常の画像読取モードにおいて、原稿の搬送路は、第一のフラッパ２０７により第一の搬送路５１へ切り替えられる。分離ローラ２０５により給送された原稿は、第一のフラッパ２０７により第一の画像読取器１０８へ向かう第一の搬送路５１へ導かれる。原稿は、図３（ａ）の矢印３１で示す方向にコロ２０８へ搬送され、矢印３２で示す方向にコロ２１０へ搬送される。更に、原稿は、矢印３３で示す方向に原稿センサとしてのレジストレーションセンサ（以下、レジセンサという）２１２及びレジストレーションローラ（以下、レジローラという）２１３へ搬送される。原稿の斜行は、レジローラ２１３により補正される。その後、原稿は、第一のリードローラ（第一の搬送手段）２１４により第一の原稿センサ（第一の画先センサ）２１５を通って矢印３４で示す方向に搬送される。第一の背景部材２１６は、異なる濃度（明度）を有する複数の背景面を有する。複数の背景面のそれぞれは、原稿を案内する案内部として機能してもよい。通常の画像読取モードにおいて、第一の画像読取器１０８が原稿の第一面（表面）の画像を読み取るとき、第一の背景部材２１６の白色の背景面（最も濃度の低い背景面）が第一の画像読取器１０８に対向させられる。第一の画像読取器１０８は、第一の流し読みガラス１０６の上を搬送される原稿の第一面（表面）の画像を読み取る。原稿は、第二のリードローラ（第二の搬送手段）２１７により第二の原稿センサ（第二の画先センサ）２１８およびコロ２２０を通って第二の画像読取器２０９へ搬送される。同様に、第二の背景部材２２１は、異なる濃度（明度）を有する複数の背景面を有する。複数の背景面のそれぞれは、原稿を案内する案内部として機能してもよい。通常の画像読取モードにおいて、第二の画像読取器２０９が原稿の第一面と反対の第二面（裏面）の画像を読み取るとき、第二の背景部材２２１の白色の背景面（最も濃度の低い背景面）が第二の画像読取器２０９に対向させられる。第二の画像読取器２０９は、第二の流し読みガラス２２４の下を搬送される原稿の第二面（裏面）の画像を読み取る。原稿は、排出ローラ２２５により矢印３５の方向に搬送され、排出トレイ１１９上へ排出される。
【００２１】
（裏写り低減処理モードにおける原稿搬送経路）
図３（ｂ）は、裏写り低減処理モードにおける原稿搬送経路を示す図である。裏写り低減処理モードにおける原稿搬送経路は、矢印３６，３７，３８，３９及び４０で示す通りである。矢印３７に沿って搬送される原稿の少なくとも一部を第二の画像読取器２０９が読み取るとき、第二の背景部材２２１の輝度の高い白色の背景面が第二の画像読取器２０９に対向させられる。第二の画像読取器２０９の読取結果に基づいて後述するヒストグラムが生成される。ヒストグラムから原稿の下地濃度が求められる。矢印３９に沿って搬送される原稿を第一の画像読取器１０８が読み取るとき、第一の画像読取器１０８に対向して配置される第一の背景部材２１６の背景面として、原稿の下地濃度より低い濃度の背景面が設定される。同様に、矢印４０に沿って搬送される原稿を第二の画像読取器２０９が読み取るとき、第二の画像読取器２０９に対向して配置される第二の背景部材２２１の背景面として、原稿の下地濃度より低い濃度の背景面が設定される。
【００２２】
使用者が操作部１０３により裏写り低減処理モードを設定しコピーボタン１０５を押すと、第一の画像読取器１０８のシェーディング補正係数および第二の画像読取器２０９のシェーディング補正係数がそれぞれ算出される。その後、自動原稿給送部１０２の原稿トレイ１１７上に載置された原稿２０１の最上位原稿の給送が開始される。ピックアップローラ２０４は、最上位原稿に当接して最上位原稿を給送する。ピックアップローラ２０４により給送された最上位原稿は、分離ローラ２０５により二枚目以降の原稿から分離される。分離された最上位原稿（以下、原稿という）は、分離ローラ２０５により給送路５０へ給送される。裏写り低減処理モードにおいて、原稿の搬送路は、第一のフラッパ２０７により第二の搬送路５２へ切り替えられる。分離ローラ２０５により給送された原稿は、図３（ｂ）の矢印３６で示す方向に第一のフラッパ２０７により第二の画像読取器２０９へ向かう第二の搬送路５２へ導かれる。第二の搬送路５２には、第三のリードローラ（第三の搬送手段）２２３が設けられている。原稿は、第三の原稿センサ２２９を通過すると、第三のリードローラ２２３により矢印３７で示す方向に一定速度で搬送される。裏写り低減処理モードにおいて、矢印３７で示す方向に搬送される原稿の第一面（表面）の画像を第二の画像読取器２０９が読み取るとき、第二の背景部材２２１の輝度の高い白色の背景面が第二の画像読取器２０９に対向させられる。第二の画像読取器２０９は、第二の流し読みガラス２２４の下を搬送される原稿の第一面（表面）の画像を読み取る。第二の画像読取器２０９の読取結果に基づいて後述するヒストグラムが生成される。
【００２３】
搬送経路内の段差に原稿が引っ掛かることがないように、保護部材２２２は、第二の背景部材２２１と第二の搬送路５２との間の隙間を覆っている。第二の搬送路５２は、矢印３７で示す方向において第二の画像読取器２０９の下流で第三の搬送路５３へ分岐している。第三の搬送路５３には、搬送コロ２２７が設けられている。第三の搬送路５３は、原稿をレジローラ２１３へ導く。裏写り低減処理モードにおいて、原稿の搬送路は、フラッパ制御部７４６（図７）により制御される第二のフラッパ２１９により第三の搬送路５３へ切り替えられる。コロ２２０を通過した原稿は、第二のフラッパ２１９により第三の搬送路５３へ導かれ、搬送コロ２２７により矢印３８で示す方向にレジセンサ２１２及びレジローラ２１３へ搬送される。原稿の斜行は、レジローラ２１３により補正される。その後、原稿は、第一のリードローラ２１４により第一の原稿センサ２１５を通って矢印３９で示す方向に搬送される。裏写り低減処理モードにおいて、第一の背景部材２１６の背景面として、ヒストグラムから求められた原稿の下地濃度より低い濃度の背景面が設定される。第一の画像読取器１０８が原稿の第一面（表面）の画像を読み取るとき、第一の背景部材２１６の原稿の下地濃度より低い濃度の背景面が第一の画像読取器１０８に対向させられる。第一の画像読取器１０８は、第一の流し読みガラス１０６の上を矢印３９で示す方向に搬送される原稿の第一面（表面）の画像を読み取る。
【００２４】
続いて、原稿は、第二のリードローラ２１７により矢印４０で示す方向に第二の原稿センサ２１８およびコロ２２０を通って第二の画像読取器２０９へ搬送される。裏写り低減処理モードにおいて、第二の背景部材２２１の背景面として、ヒストグラムから求められた原稿の下地濃度より低い濃度の背景面が設定される。第二の画像読取器２０９が原稿の第一面と反対の第二面（裏面）の画像を読み取るとき、第二の背景部材２２１の原稿の下地濃度より低い濃度の背景面が第二の画像読取器２０９に対向させられる。第二の画像読取器２０９は、第二の流し読みガラス２２４の下を矢印４０で示す方向に搬送される原稿の第二面（裏面）の画像を読み取る。原稿は、第三の原稿センサ２２９を通過すると、排出ローラ２２５により排出トレイ１１９上へ排出される。第四の原稿センサ２２６は、排出トレイ１１９に設けられている。第四の原稿センサ２２６は、排出トレイ１１９上に原稿が排出されたことを検出する。第四の原稿センサ２２６の検出結果は、使用者に対して原稿取り忘れ等を通知する際に用いられる。
【００２５】
（背景部材）
次に、図４を用いて、裏写り低減処理モードにおける第一の背景部材２１６および第二の背景部材２２１の動作を説明する。図４は、第一の背景部材２１６および第二の背景部材２２１の説明図である。本実施形態において、第一の背景部材２１６および第二の背景部材２２１は、略同様の構造を有するので、第一の背景部材２１６を説明する。図４（ｄ）は、第一の背景部材２１６の斜視図である。第一の背景部材２１６は、主走査方向に延在する複数の背景面（ガイド板）６０１、６０２、６０３、６０４を有する多角柱形状に形成されている。複数の背景面のそれぞれは、異なる均一な濃度（明度）を有する。背景面６０１は、白色の均一な濃度を有する。背景面６０２は、薄い灰色の均一な濃度を有する。背景面６０３は、濃い灰色の均一な濃度を有する。背景面６０４は、黒色の均一な濃度を有する。本実施形態において、第一の背景部材２１６は、八角柱であるが、これに限定されるものではない。第一の背景部材２１６は、三角柱、四角柱、・・・、十二角柱などであってもよく、また、円柱であってもよい。第一の背景部材２１６は、回転軸４０５に固定され、回転軸４０５を中心に回転可能である。回転軸４０５は、主走査方向に延在している。回転軸４０５には、フラグ４０７が固定されている。フラグ４０７は、回転軸４０５とともに回転する。フラグ４０７の近傍には、フラグ４０７を検出するフラグ検出器４０６が設けられている。第一の背景部材２１６は、所定の角度回転する毎に異なる濃度の背景面６０１、６０２、６０３、６０４が順次に第一の画像読取器１０８に対向するように構成されている。
【００２６】
図４（ａ）は、第二の画像読取器２０９および第二の背景部材２２１の拡大図である。原稿４０２のヒストグラムを算出するときに、原稿４０２は、矢印３７で示す方向に搬送され、第二の背景部材２２１の輝度の高い白色の背景面が第二の画像読取器２０９に対向させられる。第二の背景部材２２１の背景面が白色であるので、原稿の種類（以下、原稿種という）によっては裏写りが生じやすい。裏写りが生じた場合、第二の画像読取器２０９により読み取られた画像データには裏写りデータも含まれている。そのため、読み取られた画像データから算出されるヒストグラムには、原稿の下地の輝度レベルに加えて、除去したい裏写りの輝度レベルも含まれる。
【００２７】
（背景部材の動作）
第二の画像読取器２０９の第一面（表面）の検出結果に基づいて、原稿４０２の下地の輝度レベルが求められる。原稿４０２の下地の輝度レベルに基づいて、第一の背景部材２１６および第二の背景部材２２１の濃度が決定される。濃度が決定されると、第一の背景部材２１６の回転軸４０５を原稿４０２の走査面へ向かって押し付ける所定の保持力が解除される。図４（ｅ）および図４（ｆ）に示すように、第一の背景部材２１６は、第一の流し読みガラス１０６から離れる方向に所定の距離４０８だけ移動され、第一の背景部材２１６は、回転可能な状態にされる。この際、第一の背景部材２１６の回転量を検出するフラグ検出器４０６と回転軸４０５に固定されたフラグ４０７も、第一の背景部材２１６と一緒に移動される。第一の背景部材２１６は、図４（ｇ）に示すように、所定の距離４０８を保った状態で、決定された濃度に対応する背景面の位置まで矢印４０９で示す方向に回転される。第一の背景部材２１６の回転は、決定された濃度の背景面の位置で停止する。第一の背景部材２１６の回転軸４０５の両端部に所定の保持力が掛けられ、図４（ｈ）に示すよに、第一の背景部材２１６は、第一の流し読みガラス１０６に近づく方向に所定の距離４０８だけ移動される。第一の背景部材２１６の設定された背景面は、第一の流し読みガラス１０６を介して第一の画像読取器１０８に対向して所定位置に保持される。
【００２８】
図４（ｂ）は、第一の画像読取器１０８および第一の背景部材２１６の拡大図である。第一の画像読取器１０８が原稿４０２の第一面（表面）の画像を読み取るときに、第一の背景部材２１６の背景面は、算出されたヒストグラムに基づいて決定された濃度に対応する背景面６０３に設定される。図４（ｂ）において、第一の背景部材２１６の背景面は、黒色よりも１段濃度の低い濃い灰色の背景面６０３に設定されている。第一の画像読取器１０８は、第一の流し読みガラス１０６上を矢印３９で示す方向に搬送される原稿４０２の第一面（表面）の画像を、第一の流し読みガラス１０６を介して読み取る。
【００２９】
第二の背景部材２２１の背景面の設定は、図４（ａ）に示すように矢印３７で示す方向に搬送される原稿４０２が第二の画像読取器２０９を通過した後に、行われる。第二の背景部材２２１の背景面も、第一の背景部材２１６と同様に、第二の流し読みガラス２２４から離間および接近する方向への移動及び回転により設定される。図４（ｃ）は、第二の画像読取器２０９および第二の背景部材２２１の拡大図である。第二の画像読取器２０９が原稿４０２の第一面と反対の第二面（裏面）の画像を読み取るときに、第二の背景部材２２１の背景面は、算出されたヒストグラムに基づいて決定された濃度に対応する背景面６０３に設定される。図４（ｃ）において、第二の背景部材２２１の背景面は、黒色よりも１段濃度の低い濃い灰色の背景面６０３に設定されている。第二の画像読取器２０９は、第二の流し読みガラス２２４の下を矢印４０で示す方向に搬送される原稿４０２の第二面（裏面）の画像を第二の流し読みガラス２２４を介して読み取る。
【００３０】
（読取画像データのヒストグラム）
次に、図５を用いて、図４（ａ）に示すように矢印３７で示す方向に搬送される原稿４０２の第一面（表面）の画像５０１から得られるヒストグラムを説明する。図５は、原稿４０２の画像５０１とヒストグラムを示す説明図である。図５（ａ）は、原稿４０２の第一面（表面）の画像５０１を示す図である。原稿４０２は、下地部５０２、白ベタ部５０３および黒のテキスト部５０４を含む。画像５０１は、白ベタ部５０３と黒のテキスト部５０４で構成されている。図５（ａ）に示す例において、原稿４０２の下地部５０２の輝度レベルは、画像５０１の白ベタ部５０３の輝度レベルより低い。図５（ｂ）は、第二の画像読取器２０９により読み取られた原稿４０２の画像５０１の画像データに基づいて作成されたヒストグラム示す図である。ヒストグラムの横軸は、画像データの輝度レベルを表す。ヒストグラムの縦軸は、頻度を表す。ヒストグラムは、画像データの輝度分布をグラフ化したものである。図５（ｂ）において発生頻度が最も高い輝度レベルは、図５（ａ）に示す画像５０１から分かるように原稿４０２の下地部５０２であり、ヒストグラム上の棒グラフ５０６により示される。二番目に発生頻度が高い輝度レベルは、白ベタ部５０３であり、棒グラフ５０７により示される。黒のテキスト部５０４は、棒グラフ５０５により示される。このように、原稿４０２の下地部５０２は、ヒストグラムの中で概ね発生頻度が最も高い輝度レベルであるといえる。
【００３１】
（探索表）
次に、図６を用いて、背景面６０１〜６０４を用いて読み取られた原稿の下地部の輝度レベルと出力レベルとの関係を示す探索表（ルックアップテーブル）を説明する。図６は、背景面の濃度に対する輝度レベルと、輝度レベルに対する出力レベルの探索表を示す図である。図６（ａ）は、第二の背景部材２２１の白色の背景面６０１、薄い灰色の背景面６０２、濃い灰色の背景面６０３および黒色の背景面６０４のそれぞれに対する第二の画像読取器２０９により読み取られた画像データの輝度レベルを示すグラフである。図６（ａ）に示すグラフの横軸は、背景面の濃度を示す。縦軸は、白色の原稿を読み取ったときの輝度レベルを示す。参照符号６０６で示す輝度レベルＸ１は、第二の画像読取器２０９が原稿の走査面としての第一面（表面）の画像を読み取るときに第一面と反対の第二面（裏面）上の画像が裏写りとして読み取られる輝度レベルを示している。一般的に、両面に画像が形成された原稿の走査面の画像の中で輝度レベルが高い（低濃度）部分の反対面に輝度レベルが低い（高濃度）画像が形成されている場合、走査面の読み取り画像データの中に裏面の画像が裏写りとして含まれる。図６（ａ）の折れ線６０５は、白色の背景面６０１、薄い灰色の背景面６０２、濃い灰色の背景面６０３および黒色の背景面６０４を用いて白色の原稿を読み取ったときの輝度レベルを示す。背景面の濃度が高くなるにつれて原稿を透過した照明光が背景面で反射される反射光の量が少なくなる。従って、背景面の濃度が高くなるにつれて白色の原稿の読み取り輝度レベルが低くなる。背景面の濃度が高くなるにつれて、白色の原稿の読み取り輝度レベルと、原稿の裏面の画像の裏写りとしての読み取り輝度レベルとの差が小さくなるので、裏写りが認識され難くなる。裏写りとして読み取られる輝度レベルＸ１は原稿種に従って変化するので、原稿種に従って背景面の濃度を切り替えることにより原稿の輝度レベルに対する出力レベルのリニアリティの変化を低減することができる。
【００３２】
図６（ｂ）は、背景面の濃度を変化させたときの原稿の読み取り輝度レベルに対する出力レベルの探索表の例を示す図である。図６（ｂ）に示すグラフの横軸は、原稿の読み取り輝度レベルを示す。縦軸は、画像処理後の出力レベルを示す。原稿の読み取り輝度レベルが低い部分では、原稿の反対面の画像の裏写り現象が発生し難いので、輝度レベルの高い部分で出力レベルを上げる補正をする。特に、輝度レベルが輝度レベルＸ１より高い高輝度部分では、背景面の濃度の増大に従って読み取り輝度レベルが下がる。従って、輝度レベルが参照符号６０６で示す輝度レベルＸ１より高い部分（出力レベルが参照符号６０７で示す出力レベルＸ２より高い部分）において、読み取り輝度レベルに対する出力レベルを増大させる探索表を用いる。白色の背景面６０１に対する探索表６１０は、出力レベルが読み取り輝度レベルに比例するように、輝度レベル００から参照符号６０８で示す読み取り輝度レベルＦＦまで（出力レベル００から参照符号６０９で示す出力レベルＦＦまで）直線である。薄い灰色の背景面６０２に対する探索表６１１は、高輝度部分で探索表６１０よりも少し起き上がった特性を有する。以下、同様に、探索表６１２は、濃い灰色の背景面６０３に対応する。探索表６１３は、黒色の背景面６０４に対応する。
【００３３】
（制御システム）
以下、図７を用いて、第一の実施形態による画像読取装置１００の制御システムを説明する。図７は、第一の実施形態による画像読取装置１００のブロック図である。画像読取部１０１は、制御基板７０１、第一の画像読取器１０８、パルスモータ７２１およびＨＰセンサ１０９を有する。制御基板７０１は、画像読取部１０１の駆動制御と画像処理を司る。制御基板７０１は、中央演算処理装置としてのＣＰＵ（制御手段）７０２、画像処理部７０３、メモリ７９４、ＲＡＭ７０５、ＲＯＭ７０６、パラレル・シリアル変換回路７１９およびキャリッジ制御部７２０を有する。制御基板７０１は、ＣＰＵ７０２により制御される。ＣＰＵ７０２は、画像処理部７０３、メモリ７０４、ＲＡＭ７０５、ＲＯＭ７０６、キャリッジ制御部７２０およびＨＰセンサ１０９に電気的に接続されている。ＣＰＵ７０２は、更に、自動原稿給送部１０２に設けられた自動原稿給送制御部７３０に電気的に接続されている。メモリ７０４は、ＥＥＰＲＯＭ等で構成され、画像読取部１０１の内部のレジ調整値等のバックアップ用の記憶手段である。ＣＰＵ７０２は、ＲＯＭ７０６に保存された画像読取装置１００の制御プログラムを読み込み、ＲＡＭ７０５に展開し、制御プログラムに従って画像読取装置１００を制御する。
【００３４】
第一の画像読取器１０８は、原稿を走査して原稿の画像を読み取る。第一の画像読取器１０８は、第一の光源７２２、第一の光源駆動部７２３、第一の光電変換素子７２４および第一のアナログフロントエンドＩＣ（以下、第一のＡＦＥという）７２５を有する。第一の光源７２２は、原稿を照明するための光を出射する第一の照明手段である。第一の光源７２２は、例えば、発光ダイオード（ＬＥＤ）からなる。第一の光源駆動部７２３は、第一の光源７２２を点灯制御する。第一の光電変換素子７２４は、第一の光源７２２により照明された原稿からの反射光を受光して画像データとしてのアナログ信号を第一のＡＦＥ７２５へ出力する第一の光電変換手段である。第一の光電変換素子７２４は、例えば、電荷結合素子（ＣＣＤ）からなる。第一のＡＦＥ７２５は、アナログ増幅器およびＡＤ変換器を有する。第一のＡＦＥ７２５は、第一の光電変換素子７２４のアナログ信号をサンプルホールドし、サンプリングしたＤＣデータをＡＤ変換器によりデジタル信号（ビデオデータ）へ変換する。第一のＡＦＥ７２５は、デジタル信号を画像処理部７０３の第一のシェーディング補正回路７０７へ出力する。
【００３５】
第一の画像読取器１０８は、固定読取モードと流し読みモードとで動作可能である。固定読取モードにおいて、第一の画像読取器１０８は、プラテンガラス１０７上に載置された原稿の画像または自動原稿給送部１０２により給送されプラテンガラス１０７上に一旦停止された原稿の画像を、副走査方向に移動しながら読み取る。制御基板７０１のＣＰＵ７０２は、キャリッジ制御部７２０を介してパルスモータ７２１を制御し、パルスモータ７２１は、第一の画像読取器１０８を副走査方向に等速で移動させる。第一の画像読取器１０８の位置制御は、以下のように実行される。第一の画像読取器１０８の基準位置（ホームポジジョン）は、ＨＰセンサ１０９が第一の画像読取器１０８に設けられたフラグ１１０を検出することにより、検出される。キャリッジ制御部７２０は、パルスモータ７２１を制御するパルスの数に基づいて、第一の画像読取器１０８の移動距離を算出する。流し読みモードにおいて、第一の画像読取器１０８は、所定の読取位置に停止され、自動原稿給送部１０２により給送される原稿の画像を読み取る。
【００３６】
自動原稿給送部１０２は、第二の画像読取器２０９、自動原稿給送制御部７３０および原稿載置検出器（原稿センサ）７４５を有する。また、自動原稿給送部１０２は、排出制御部７３１、レジストレーション制御部（以下、レジ制御部という）７３３、読取制御部７３５、搬送制御部７３７および給送制御部７３９を有する。排出制御部７３１、レジ制御部７３３、読取制御部７３５、搬送制御部７３７および給送制御部７３９は、自動原稿給送制御部７３０に電気的に接続され、自動原稿給送制御部７３０により制御される。排出制御部７３１は、排出モータ７３２を制御する排出制御手段である。レジ制御部７３３は、レジストレーションモータ（以下、レジモータという）７３４を制御するレジストレーション制御手段である。読取制御部７３５は、読取モータ７３６を制御する読取制御手段である。搬送制御部７３７は、搬送モータ７３８を制御する搬送制御手段である。給送制御部７３９は、給送モータ７４０を制御する給送制御手段である。
【００３７】
自動原稿給送部１０２は、更に、第一の背景部材制御部７４１、第二の背景部材制御部７４３およびフラッパ制御部７４６を有する。第一の背景部材制御部７４１、第二の背景部材制御部７４３およびフラッパ制御部７４６は、自動原稿給送制御部７３０に電気的に接続され、自動原稿給送制御部７３０により制御される。第一の背景部材制御部７４１は、第一の背景部材２１６を駆動する第一の背景部材モータ７４２を制御する第一の走査ガイド制御手段である。第二の背景部材制御部７４３は、第二の背景部材２２１を駆動する第二の背景部材モータ７４４を制御する第二の走査ガイド制御手段である。フラッパ制御部７４６は、第一のフラッパ２０７および第二のフラッパ２１９を制御するフラッパ制御手段である。
【００３８】
第二の画像読取器２０９は、給送された原稿を走査して原稿の画像を読み取る。第二の画像読取器２０９は、第二の光源７２６、第二の光源駆動部７２７、第二の光電変換素子７２８および第二のアナログフロントエンドＩＣ（以下、第二のＡＦＥという）７２９を有する。第二の光源７２６は、原稿を照明するための光を出射する第二の照明手段である。第二の光源７２６は、例えば、発光ダイオード（ＬＥＤ）からなる。第二の光源駆動部７２７は、第二の光源７２６を点灯制御する。第二の光電変換素子７２８は、第二の光源７２６により照明された原稿からの反射光を受光して画像データとしてのアナログ信号を第二のＡＦＥ７２９へ出力する第二の光電変換手段である。第二の光電変換素子７２８は、例えば、電荷結合素子（ＣＣＤ）からなる。第二のＡＦＥ７２９は、アナログ増幅器およびＡＤ変換器を有する。第二のＡＦＥ７２９は、第二の光電変換素子７２８のアナログ信号をアナログ増幅器により増幅し、ＡＤ変換器によりデジタル信号（ビデオデータ）へ変換する。第二のＡＦＥ７２９は、デジタル信号を画像処理部７０３の第二のシェーディング補正回路７１０へ出力する。
【００３９】
（画像処理部）
画像処理部７０３を説明する。ここでは、画像処理部７０３の構造のうちヒストグラムを算出するための構造とシェーディング補正のための構造を説明し、他の構造の説明を省略する。画像処理部７０３は、第一のシェーディング補正回路７０７、第一のシェーディングＲＡＭ７０８、第二のシェーディング補正回路７１０および第二のシェーディングＲＡＭ７１１を有する。第一の光電変換素子７２４の画素毎の感度バラツキや第一の光源７２２の配光斑のために、均一な濃度の画像を走査した時のデジタル信号がフラットにならないことがある。そこで、シェーディング補正により、第一の光電変換素子７２４の画素毎の感度バラツキや第一の光源７２２の配光斑を補正して、均一な濃度の画像を走査した時のデジタル信号がフラットになるようにする。第一のシェーディング補正回路７０７は、第一の画像読取器１０８の第一のＡＦＥ７２５から出力されるデジタル信号に基づいてシェーディング補正を実行する。第一のシェーディング補正回路７０７は、原稿の走査を開始する前に第一の画像読取器１０８により読み取った第一のシェーディング白板１１５のデジタル信号に基づいて、主走査方向における画素毎にシェーディング補正係数（補正データ）を算出する。第一のシェーディング補正回路７０７は、算出したシェーディング補正係数を第一のシェーディングＲＡＭ７０８に保存する。原稿の画像を読み取る際に、第一のシェーディング補正回路７０７は、第一のシェーディングＲＡＭ７０８から読み出したシェーディング補正係数に基づいて原稿の画像を読み取って得られたデジタル信号に対して係数処理を行い、シェーディング補正を実行する。第二の画像読取器２０９から出力されるデジタル信号にシェーディング補正を実行する第二のシェーディング補正回路７１０および第二のシェーディングＲＡＭ７１１も、第一のシェーディング補正回路７０７および第一のシェーディングＲＡＭ７０８と同様である。
【００４０】
画像処理部７０３は、また、ヒストグラム算出部７４８、第一の探索表７０９、第二の探索表７１５および探索表選択部７１６を有する。本実施形態においては、給送された原稿の画像を第二の画像読取器２０９が走査し生成したデジタル信号に基づいて、ヒストグラムが算出される。ヒストグラム算出部７４８は、第一のＦＩＦＯ７１２、第二のＦＩＦＯ７１３およびヒストグラム算出回路７１４を有する。第二のシェーディング補正回路７１０によりシェーディング補正された画像データは、主走査方向の１ライン毎に交互に第一のＦＩＦＯ７１２および第二のＦＩＦＯ７１３に読み込まれる。１ライン分の画像データを第一のＦＩＦＯ７１２に書き込み、ヒストグラム算出回路７１４によりヒストグラムを算出する。第一のＦＩＦＯ７１２から１ライン分の画像データを出力している間に、次の１ライン分の画像データを第二のＦＩＦＯ７１３に書き込み、ヒストグラム算出回路７１４によりヒストグラムを算出する。第二のＦＩＦＯ７１３から１ライン分の画像データを出力している間に、次の１ライン分の画像データを第一のＦＩＦＯ７１２に書き込み、ヒストグラム算出回路７１４によりヒストグラムを算出する。以降、上記動作を順次切り替えながらヒストグラムの算出を行う。ヒストグラム算出回路７１４は、所定走査領域内の原稿の画像の読取が完了した後、発生頻度の高い輝度を原稿の下地濃度として算出する。
【００４１】
ＣＰＵ７０２は、予め決められた制御仕様に従って、算出された下地濃度から第一の背景部材２１６および第二の背景部材２２１の背景濃度（ガイド板濃度）を選択する。同時に、探索表選択部（ルックアップテーブル・セレクタ）７１６により選択された補正テーブルをそれぞれ第一の探索表７０９および第二の探索表７１５に設定する。第一の画像読取器１０８により読み取られた画像データは、第一の探索表７０９により補正されて、画像選択部（画像セレクタ）７１７へ出力される。第二の画像読取器２０９により読み取られた画像データは、第二の探索表７１５により補正されて、画像選択部７１７へ出力される。
【００４２】
画像読取装置１００は、搬送されている原稿の両面の画像を搬送路の中で同時に読み取ることができるように、原稿の搬送路に第一の画像読取器１０８と第二の画像読取器２０９が配置されている。一般に、画像読取装置１００の寸法を小さくするために、第一の画像読取器１０８と第二の画像読取器２０９の間の距離は、搬送されている原稿の副走査方向（原稿搬送方向）の長さよりも短く設定されている。画像読取部１０１が第一の画像読取器１０８により読み取られる第一面の画像データの出力部と第二の画像読取器２０９により読み取られる第二面の画像データの出力部を別個に（２系統）有している場合、第一面と第二面の画像データを同時に出力できる。しかし、本実施形態の画像読取部１０１は、第一面の画像データと第二面の画像データを共通の出力部から出力するので、第一面の画像データと第二面の画像データを交互に出力する必要がある。画像選択部７１７は、第一面の画像データと第二面の画像データのパラレル・シリアル変換回路７１９への出力制御と、画像記憶部（画像メモリ）７１８への画像データの書き込み及び読出しを並列処理で実行可能である。
【００４３】
画像選択部７１７は、例えば、パラレル・シリアル変換回路７１９へ第一面（表面）の画像データを出力中に、画像記憶部７１８へ第二面（裏面）の画像データを一旦書き込む。パラレル・シリアル変換回路７１９への第一面の画像データの出力が終了すると、画像選択部７１７は、続いて画像記憶部７１８から第二面の画像データをパラレル・シリアル変換回路７１９へ出力する。このように、画像選択部７１７は、原稿の第一面（表面）の画像データおよび第二面の画像データを選択的にパラレル・シリアル変換回路７１９へ出力する。パラレル・シリアル変換回路７１９は、画像形成装置に設けられたプリンタ制御回路７４７に対するインターフェイスである。プリンタ制御回路７４７は、画像形成装置全体の制御を行う。操作部１０３により設定された画像読取仕様は、プリンタ制御回路７４７経由で画像処理部７０３のシリアル通信ライン（不図示）によってＣＰＵ７０２に設定される。自動原稿給送部１０２は、自動原稿給送制御部７３０によって制御される。
【００４４】
（通常の画像読取モードにおける制御動作）
通常の画像読取モードにおける制御動作を以下に説明する。原稿載置検出器７４５は、原稿トレイ１１７上に原稿２０１が載置されているか否か検出する検出手段である。原稿トレイ１１７上に原稿２０１が載置され、コピーボタン１０５が押されると、給送制御部７３９によって給送モータ７４０が制御される。給送モータ７４０の駆動力により、ピックアップローラ２０４は、原稿トレイ１１７上に載置された原稿２０１ の最上位原稿を搬送路へ給送する。原稿の給送開始と同時に、同じく給送モータ７４０の駆動力により駆動される分離ローラ２０５は、原稿２０１が２枚以上重なった状態で搬送（重送）されている場合に２枚目以降の原稿を分離して最上位原稿を搬送する。分離ローラ２０５によって分離された最上位原稿は、搬送制御部７３７によって制御される搬送モータ７３８により駆動されるコロ２０８、２１０ により搬送される。搬送された原稿がレジセンサ２１２により検出されると、レジ制御部７３３は、レジモータ７３４を制御してレジローラ２１３の停止および回転を制御し、原稿の斜行を補正する。
【００４５】
読取制御部７３５により制御される読取モータ７３６は、第一のリードローラ２１４および第二のリードローラ２１７を駆動する。斜行が補正された原稿は、第一のリードローラ２１４により第一の画像読取器１０８へ等速度で搬送される。第一の画像読取器１０８は、原稿の第一面（表面）の画像を読み取る。その後、原稿は、第二のリードローラ２１７により第二の画像読取器２０９へ等速度で搬送される。第二の画像読取器２０９は、原稿の第一面と反対の第二面（裏面）の画像を読み取る。画像が読み取られた原稿は、排出制御部７３１によって制御される排出モータ７３２によって排出トレイ１１９へ排出される。
【００４６】
（裏写り低減処理モードにおける制御動作）
裏写り低減処理モードにおける制御動作を以下に説明する。操作部１０３により裏写り低減処理モードが設定された場合、フラッパ制御部７４６は、第一のフラッパ２０７により搬送路を切り換える。分離ローラ２０５によって分離された最上位原稿は、搬送制御部７３７によって制御される第三のリードローラ２２３により第二の画像読取器２０９へ搬送される。第二の画像読取器２０９は、原稿の第一面（表面）の画像を読み取る。ヒストグラム算出部７４８は、第二の画像読取器２０９の読取結果に従ってヒストグラムを算出する。フラッパ制御部７４６は、第二のフラッパ２１９により搬送路を切り換える。第二の画像読取器２０９により画像が読み取られた原稿は、搬送コロ２２７によりレジローラ２１３へ搬送される。ＣＰＵ７０２は、算出されたヒストグラムから第一の背景部材２１６および第二の背景部材２２１の背景濃度（ガイド板濃度）を選択する。ヒストグラムの算出が第二の画像読取器２０９の読取結果に従って実行されるので、先に、第一の画像読取器１０８に対向して配置された第一の背景部材２１６が第一の背景部材制御部７４１により制御される第一の背景部材モータ７４２によって駆動される。第一の背景部材２１６の背景濃度は、ＣＰＵ７０２により選択された背景濃度へ切り替えられる。続いて、第二の画像読取器２０９による原稿の走査が終了した時点で、第二の画像読取器２０９に対向して配置された第二の背景部材２２１が第二の背景部材制御部７４３により制御される第二の背景部材モータ７４４によって駆動される。第二の背景部材２２１の背景濃度は、ＣＰＵ７０２により選択された背景濃度へ切り替えられる。
【００４７】
以下、図８を用いて、第一の実施形態の裏写り低減処理モードにおける制御動作を説明する。図８は、第一の実施形態の裏写り低減処理モードにおける制御動作を示す流れ図である。ＣＰＵ７０２は、ＲＯＭ７０６に保存されたプログラムに従って裏写り低減処理モードにおける制御動作を実行する。使用者は、操作部１０３から裏写り低減処理モードを設定する（Ｓ８０１）。使用者がコピーボタン１０５を押すことにより（Ｓ８０２）、画像読取部１０１および自動原稿給送部１０２の原稿走査制御が開始される。ＣＰＵ７０２は、第一のシェーディング補正回路７０７および第二のシェーディング補正回路７１０により第一の画像読取器１０８の画像データおよび第二の画像読取器２０９の画像データのシェーディング補正係数をそれぞれ算出する（Ｓ８０３）。ＣＰＵ７０２は、自動原稿給送制御部７３０により、自動原稿給送部１０２の原稿トレイ１１７上に載置された原稿２０１の給送を開始する（Ｓ８０４）。フラッパ制御部７４６により第一のフラッパ２０７を制御して搬送路を切り替え、原稿を第二の画像読取器２０９へ搬送する（Ｓ８０５）。
【００４８】
第二の画像読取器２０９により原稿の第一面（表面）の画像を読み取り、第二の画像読取器２０９の読取結果に基づいてヒストグラム算出回路７１４によりヒストグラムを生成する（Ｓ８０６）。ＣＰＵ７０２は、算出されたヒストグラムに基づいて第一の背景部材２１６及び第二の背景部材２２１のそれぞれの背景濃度を決定する（Ｓ８０７）。決定された背景濃度に従って、第一の画像読取器１０８に対向する第一の背景部材２１６の背景面を切り替え、第一の画像読取器１０８により読み取られた画像データを補正するための第一の探索表７０９を設定する（Ｓ８０８）。
【００４９】
原稿の先端部が第一の原稿センサ２１５を通過した後、第一の画像読取器１０８により原稿の第一面（表面）の画像を読み取り、読み取った画像データに対して、シェーディング補正および第一の探索表７０９による補正を実行する（Ｓ８０９）。原稿の第一面の補正された画像データは、画像選択部７１７により画像記憶部７１８へ選択的に書き込み及び読み出しされる（Ｓ８１０）。ＣＰＵ７０２は、第一面の画像データの読み取り及び補正と同時に、原稿が第二の画像読取器２０９を通過したか否かを判断する（Ｓ８１１）。原稿が第二の画像読取器２０９を通過したか否かの判断は、原稿の副走査方向の長さ、第三の原稿センサ２２９の検出結果および第三のリードローラ２２３による搬送距離に基づいて行われる。原稿が第二の画像読取器２０９を通過すると（Ｓ８０９でＹＥＳ）、決定された背景濃度に従って、第二の背景部材２２１の背景面を切り替え、第二の画像読取器２０９により読み取られた画像データを補正するための第二の探索表７１５を設定する（Ｓ８１２）。原稿の先端部が第二の原稿センサ２１８を通過した後、第二の画像読取器２０９により原稿の第二面（裏面）の画像を読み取り、読み取った画像データに対して、シェーディング補正および第二の探索表７１５による補正を実行する（Ｓ８１３）。原稿の第二面の補正された画像データは、画像選択部７１７により画像記憶部７１８へ選択的に書き込み及び読み出しされる（Ｓ８１４）。これにより、原稿の第一面の画像データおよび第二面の画像データがパラレル・シリアル変換回路７１９へ交互に出力される。
【００５０】
ＣＰＵ７０２は、原稿が第二の画像読取器２０９を通過したか否かを判断する（Ｓ８１５）。原稿が第二の画像読取器２０９を通過したか否かの判断は、第三の原稿センサ２２９の検出結果に基づいて行われる。原稿が第二の画像読取器２０９を通過すると（Ｓ８１５でＹＥＳ）、ＣＰＵ７０２は、原稿載置検出器７４５の検出結果に基づいて原稿トレイ１１７上に原稿２０１が在るか否かを判断する（Ｓ８１６）。原稿２０１が原稿トレイ１１７上に在る場合（Ｓ８１６でＹＥＳ）、処理はＳ８０４へ戻り、次の原稿の給送を開始する。原稿２０１が原稿トレイ１１７上に無い場合（Ｓ８１６でＮＯ）、ＣＰＵ７０２は、原稿の給送を終了する（Ｓ８１７）。ＣＰＵ７０２は、裏写り低減処理モードにおける制御動作を終了する。
【００５１】
（背景部材の変形例）
以上の説明において、第一の背景部材２１６および第二の背景部材２２１は、複数の異なる濃度の背景面を有する多角柱形状に形成され、回転可能に設けられている。しかし、第一の背景部材２１６および第二の背景部材２２１の構造は、これに限定されるものではなく複数の異なる濃度の背景面を切り替え可能に構成されていればよい。図９は、第一の背景部材９０２および第二の背景部材９０３の変形例を示す図である。第一の背景部材９０２および第二の背景部材９０３は、同一の構造を有するので、以下、第一の背景部材９０２を説明し、第二の背景部材９０３の説明を省略する。第一の背景部材９０２は、原稿搬送方向（副走査方向）９０１に直交する主走査方向９０４に細長い平らな面を有する支持部９０５を有する。支持部９０５には、主走査方向９０４に延在する複数の背景面９０６、９０７、９０８、９０９が設けられている。複数の背景面９０６、９０７、９０８、９０９は、異なる均一な濃度（明度）を有する。本実施の形態において、背景面９０６は白、背景面９０７は黒、背景面９０８は濃い灰色、背景面９０９は薄い灰色で、それぞれ主走査方向９０４に均一な濃度（明度）を有する。複数の背景面９０６、９０７、９０８、９０９は、原稿搬送方向９０１に沿って一定間隔で並べて配置されている。
【００５２】
支持部９０５の主走査方向９０４の一端部には、フラグ（突起）９１０が設けられている。フラグ９１０の近傍には、フラグ９１０の位置を検出するフラグ位置検出器９１１が設けられている。支持部９０５は、原稿搬送方向９０１に移動可能である。第一の背景部材９０２は、原稿搬送方向９０１に所定の距離だけ移動させられる毎に複数の背景面９０６、９０７、９０８、９０９のうちの一つが第一の画像読取器１０８に対向して設定される。フラグ位置検出器９１１は、フラグ９１０を検出することにより、第一の画像読取器１０８の読み取り位置にある背景面を検出する。フラグ位置検出器９１１によりフラグ９１０の位置を検出しながら支持部９０５を原稿搬送方向９０１に移動させることにより、第一の背景部材９０２の背景面を、算出された下地濃度に対応する背景濃度の背景面へ切り替える。スライド機構を有する第一の背景部材９０２及び第二の背景部材９０３も、回転機構を有する第一の背景部材２１６及び第二の背景部材２２１と同様な画像読み取りの効果を奏する。
【００５３】
本実施形態によれば、算出した下地濃度に対応する濃度を有する背景面を用いて原稿の画像を読み取るので、画像の中で裏写りが生じやすい比較的高輝度部分である下地部における裏写り現象の発生を低減することができる。また、濃度の高い（輝度の低い）背景面を用いることにより読み取り輝度レベルが全体的に低くなることを防止するために、設定された背景面の濃度に対応する探索表を用いて画像データの出力レベルを補正することができる。従って、原稿の画像の輝度レベルに対する出力レベルのリニアリティの変化を低減することができる。
【００５４】
本実施形態によれば、原稿種にかかわらず簡単な構造で裏写りを低減する画像読取装置１００を提供できる。
【実施例２】
【００５５】
（画像読取装置）
次に、第二の実施形態による画像読取装置３００を説明する。第二の実施形態による画像読取装置３００において、第一の実施形態による画像読取装置１００と同様の構造には同様の参照符号を付して説明を省略する。図１０は、第二の実施形態による画像読取装置３００の断面図である。画像読取装置３００は、画像読取部３０１、自動原稿給送部３０２および操作部１０３からなる。第一の実施形態との相違点は、原稿の厚さを検出する原稿厚さ検出手段としての原稿厚さ検出器１００１が設けられており、原稿厚さ検出器１００１の検出結果に基づいて原稿の光透過レベルを予測して背景面の濃度と探索表を選択する点である。また、背景部材として、スライド機構を有する第一の背景部材９０２及び第二の背景部材９０３が設けられている。以下、第一の実施形態と異なる点を主に説明する。本実施形態における裏写り低減処理モードにおける原稿搬送経路は、通常の画像読取モードにおける原稿搬送経路と同じである。従って、第二の実施形態においては、第一の実施形態に用いられている第一のフラッパ２０７、第二のフラッパ２１９、フラッパ制御部７４６、搬送コロ２２７および第二の画像読取器２０９からレジローラ２１３への搬送路を省略することができる。
【００５６】
（原稿厚さ検出器）
自動原稿給送部３０２は、原稿厚さ検出器１００１を有する。原稿厚さ検出器１００１は、原稿の給送方向において分離ローラ２０５の下流に配置されている。原稿厚さ検出器１００１は、超音波センサまたは赤外線センサであってもよい。原稿厚さ検出器１００１は、分離ローラ２０５により給送される原稿の先端部の厚さを検出する。操作部１０３により裏写り低減処理モードが設定され、コピーボタン１０５が押されると、第一の画像読取器１０８および第二の画像読取器２０９のそれぞれのシェーディング補正係数が算出され、画像読取装置３００は、画像読取待機状態になる。第一の画像読取器１０８及び第二の画像読取器２０９が画像読取可能な状態になると、自動原稿給送部３０２の原稿トレイ１１７上に載置された一枚の原稿２０１または複数枚の原稿２０１の最上位原稿の給送が開始される。一枚の原稿２０１または複数枚の原稿２０１の最上位原稿上にピックアップローラ２０４が当接して、最上位原稿を搬送路へ給送する。ピックアップローラ２０４により給送された最上位原稿は、分離ローラ２０５により２枚目以降の原稿から分離される。分離ローラ２０５の下流に配置された原稿厚さ検出器１００１は、分離された最上位原稿の厚さを検出する。
【００５７】
（原稿厚さと背景濃度および探索表の関係）
図１１は、用紙の用途、坪量（ｇ／ｍ２）および厚さ（ｍｍ）を示す表である。用紙の厚さは、通常、坪量（１平方メートル辺りの重量）で表現されるが、厚さ（ｍｍ）の概ねの数値を表に示す。裏写りが生じやすい用紙の種類は、チラシ、ファッション雑誌本文などに用いられる用紙である。概ね、用紙の厚さが０．１ｍｍより小さいと、裏写りの影響が顕在化する。そこで、例えば、０．０８ｍｍ以下の原稿、０．０８ｍｍより厚く０．０９ｍｍ以下の原稿、０．０９ｍｍより厚く０．１ｍｍ以下の原稿および０．１ｍｍより厚い原稿のそれぞれに適した濃度の背景面と探索表を予め求める。そして、原稿厚さ検出制御部１１０１により制御される原稿厚さ検出器１００１により検出された原稿の厚さに従って背景濃度が決定される。決定された背景濃度に従って、第一の背景部材９０２および第二の背景部材９０３の背景面が設定される。決定された背景濃度に従って、第一の探索表７０９および第二の探索表７１５が設定される。
【００５８】
（制御システム）
以下、図１２を用いて、第二の実施形態による画像読取装置３００の制御システムを説明する。図１２は、第二の実施形態による画像読取装置３００のブロック図である。図１２に示す制御システムにおいて、図７に示す第一の実施形態による画像読取装置１００の制御システムと同様の構造には同様の参照符号を付して説明を省略する。第二の実施形態の自動原稿給送部３０２は、原稿厚さ検出器１００１と、原稿厚さ検出器１００１を制御する原稿厚さ検出制御部１１０１を有する。原稿厚さ検出制御部１１０１は、自動原稿給送制御部７３０に電気的に接続され、自動原稿給送制御部７３０により制御される。また、第二の実施形態の画像読取部３１０の画像処理部３０３には、第一の実施形態のようなヒストグラム算出部が設けられていない。
【００５９】
（裏写り低減処理モードにおける制御動作）
以下、図１３を用いて、第二の実施形態の裏写り低減処理モードにおける制御動作を説明する。図１３は、第二の実施形態の裏写り低減処理モードにおける制御動作を示す流れ図である。ＣＰＵ７０２は、ＲＯＭ７０６に保存されたプログラムに従って裏写り低減処理モードにおける制御動作を実行する。使用者は、操作部１０３から裏写り低減処理モードを設定する（Ｓ１２０１）。使用者がコピーボタン１０５を押すことにより（Ｓ１２０２）、画像読取部３０１および自動原稿給送部３０２の原稿走査制御が開始される。ＣＰＵ７０２は、第一のシェーディング補正回路７０７および第二のシェーディング補正回路７１０により第一の画像読取器１０８の画像データおよび第二の画像読取器２０９の画像データのシェーディング補正係数をそれぞれ算出する（Ｓ１２０３）。ＣＰＵ７０２は、自動原稿給送制御部７３０により、自動原稿給送部３０２の原稿トレイ１１７上に載置された原稿２０１の給送を開始する（Ｓ１２０４）。
【００６０】
ピックアップローラ２０４により搬送路へ給送された原稿２０１から最上位原稿を分離ローラ２０５により分離した後、原稿厚さ検出制御部１１０１は、原稿厚さ検出器１００１により原稿の厚さを検出する（Ｓ１２０５）。本実施形態において、原稿厚さ検出制御部１１０１は、原稿一枚毎に原稿の厚さを検出する。しかし、連続印刷ジョブにおいて、原稿厚さ検出制御部１１０１は、最初の一枚目の原稿の厚さを検出し、後続の原稿については検出した最初の一枚目の原稿の厚さを用いてもよい。ＣＰＵ７０２は、検出された原稿の厚さに基づいて第一の背景部材９０２及び第二の背景部材９０３の背景濃度を決定する（Ｓ１２０６）。決定された背景濃度に従って、第一の画像読取器１０８に対向する第一の背景部材９０２の背景面を切り替えるとともに、第一の画像読取器１０８により読み取られた画像データを補正するための第一の探索表７０９を設定する（Ｓ１２０７）。同様に、決定された背景濃度に従って、第二の画像読取器２０９に対向する第二の背景部材９０３の背景面を切り替えるとともに、第二の画像読取器２０９により読み取られた画像データを補正するための第二の探索表７１５を設定する（Ｓ１２０８）。
【００６１】
原稿の先端部が第一の原稿センサ２１５を通過した後、第一の画像読取器１０８により原稿の第一面（表面）の画像を読み取り、読み取った画像データに対して、シェーディング補正および第一の探索表７０９による補正を実行する（Ｓ１２０９）。原稿の第一面の補正された画像データは、画像選択部７１７により画像記憶部７１８へ選択的に書き込み及び読み出しされる（Ｓ１２１０）。原稿の先端部が第二の原稿センサ２１８を通過した後、第二の画像読取器２０９により原稿の第二面（裏面）の画像を読み取り、読み取った画像データに対して、シェーディング補正および第二の探索表７１５による補正を実行する（Ｓ１２１１）。原稿の第二面の補正された画像データは、画像選択部７１７により画像記憶部７１８へ選択的に書き込み及び読み出しされる（Ｓ１２１２）。これにより、原稿の第一面の画像データおよび第二面の画像データがパラレル・シリアル変換回路７１９へ交互に出力される。
【００６２】
ＣＰＵ７０２は、原稿が第一の画像読取器１０８を通過したか否かを判断する（Ｓ１２１３）。原稿が第一の画像読取器１０８を通過したか否かの判断は、第一の原稿センサ２１５の検出結果に基づいて行われる。原稿が第一の画像読取器１０８を通過すると（Ｓ１２１３でＹＥＳ）、ＣＰＵ７０２は、原稿載置検出器７４５の検出結果に基づいて原稿トレイ１１７上に原稿２０１が在るか否かを判断する（Ｓ１２１４）。原稿２０１が原稿トレイ１１７上に在る場合（Ｓ１２１４でＹＥＳ）、処理はＳ１２０４へ戻り、次の原稿の給送を開始する。原稿が原稿トレイ１１７上に無い場合（Ｓ１２１４でＮＯ）、ＣＰＵ７０２は、原稿の給送を終了する（Ｓ１２１５）。ＣＰＵ７０２は、裏写り低減処理モードにおける制御動作を終了する。
【００６３】
本実施形態によれば、原稿厚さ検出器１００１により検出された原稿の厚さに従って、第一の背景部材９０２の背景面、第二の背景部材９０３の背景面、第一の探索表７０９および第二の探索表７１５が設定される。このように、原稿の厚さに適した背景面および探索表が設定されることにより、画像読取時の裏写りを低減することができる。
【００６４】
本実施形態によれば、原稿種にかかわらず簡単な構造で裏写りを低減する画像読取装置３００を提供できる。
【符号の説明】
【００６５】
５１・・・第一の搬送路
５２・・・第二の搬送路
５３・・・第三の搬送路
１００・・・画像読取装置
１０８・・・第一の画像読取器（第一の画像読取部）
１１７・・・原稿トレイ
２０７・・・第一のフラッパ（切替手段）
２０９・・・第二の画像読取器（第二の画像読取部）
２１４・・・第一のリードローラ（第一の搬送手段）
２１６・・・第一の背景部材
２１７・・・第二のリードローラ（第二の搬送手段）
２２１・・・第二の背景部材
２２３・・・第三のリードローラ（第三の搬送手段）
７０２・・・ＣＰＵ（制御手段）
【図１】
2018125766.tif 000003
【図２】
2018125766.tif 000004
【図３】
2018125766.tif 000005
【図４】
2018125766.tif 000006
【図５】
2018125766.tif 000007
【図６】
2018125766.tif 000008
【図７】
2018125766.tif 000009
【図８】
2018125766.tif 000010
【図９】
2018125766.tif 000011
【図１０】
2018125766.tif 000012
【図１１】
2018125766.tif 000013
【図１２】
2018125766.tif 000014
【図１３】
2018125766.tif 000015